(57)【要約】【課題】誰でもが手軽に組み立てて使用できる、常に失敗なく炭焼き作業を行うことのできる炭焼き窯を提供する。【解決手段】焚き口１２を持つ燃焼室１０の上端開口部に架け渡された複数本の支持棒２０上に亙ってドラム缶状容器３０を搭載して、該容器内に炭作り材料の植物１００を入れる。そして、ドラム缶状容器３０の上端開口部を蓋４０で覆った状態で、燃焼室１０内で燃料１１０を燃やす。そして、その燃料１１０から発生する高温の炎を、ドラム缶状容器３０の下端周縁と燃焼室１０の上端開口部周縁との間にリング状に露出させた燃焼室開口端１８とドラム缶状容器３０の周囲側壁とに亙って被せたスカート状筒体５０内側空間へと侵入させる。そして、ドラム缶状容器３０内で植物１００を蒸し焼き状態にして、その植物１００から炭を作る。【選択図】図１
2005320460.tif 000002
【特許請求の範囲】
【請求項１】
焚き口を持つ有底筒状の燃焼室と、該燃焼室の上端開口部に架け渡された複数本の支持棒と、その複数本の支持棒上に亙って搭載された前記燃焼室の上端開口部の内径よりも外径が小さいドラム缶状容器と、該容器の上端開口部を覆う蓋と、前記複数本の支持棒上に亙って搭載されたドラム缶状容器の下端周縁と燃焼室の上端開口部周縁との間にリング状に露出させた燃焼室開口端とドラム缶状容器の周囲側壁とに亙って所定空間をあけて被せられたスカート状筒体であって、その上端周縁がドラム缶状容器の上部側壁に小隙間を残して宛てがわれたスカート状筒体とが備えられてなることを特徴とする炭焼き窯。
【請求項２】
前記スカート状筒体が、複数枚の弧状をした樋枠を分解可能に組み合わせて形成されたものからなることを特徴とする請求項１記載の炭焼き窯。
【請求項３】
前記支持棒が、金属製の棒状パイプ内側に耐火材が充填されたものからなることを特徴とする請求項１又は２記載の炭焼き窯。
【発明の詳細な説明】
【技術分野】
【０００１】
本発明は、竹、木材、落ち葉などの植物を、炭化処理するための、炭焼き窯に関する。
【背景技術】
【０００２】
従来の、炭焼き用の窯作り作業、その窯に炭材料を詰める作業、その窯からの炭出し作業、その窯の火焚き作業、その窯の火消し作業等には、高度な専門知識を必要とした。そのために、身近に存在する竹、木材、落ち葉などの植物から、誰でもが、手数を掛けずに、常に失敗なく手軽に、炭作りを行うことができなかった。
【０００３】
なお、このような課題を解消するために、さほどの専門知識がなくとも、炭作りを行うことの可能な、特開２００１−１３１５５９号公報、特開２００３−１３０６８号公報等に記載されたような、様々の炭化装置も、開発されている。
【特許文献１】特開２００１−１３１５５９号公報
【特許文献２】特開２００３−１３０６８号公報
【発明の開示】
【発明が解決しようとする課題】
【０００４】
しかしながら、それらの炭化装置は、いずれも高価であったり、使い方が面倒であったりして、誰でもが手軽に購入して、炭焼き作業を、常に失敗なく、効率よく行えるものではなかった。
【０００５】
本発明は、このような課題に鑑みてなされたもので、身近に手に入る廃棄物を有効利用して、費用を掛けずに、誰でもが手軽に組み立てて使用できる、炭焼き窯であって、高度の専門知識がなくとも、誰でもが常に失敗なく炭焼き作業を行うことのできる炭焼き窯を提供することを目的としている。
【課題を解決するための手段】
【０００６】
上記目的を達成するために、本発明の炭焼き窯は、焚き口を持つ有底筒状の燃焼室と、該燃焼室の上端開口部に架け渡された複数本の支持棒と、その複数本の支持棒上に亙って搭載された前記燃焼室の上端開口部の内径よりも外径が小さいドラム缶状容器と、該容器の上端開口部を覆う蓋と、前記複数本の支持棒上に亙って搭載されたドラム缶状容器の下端周縁と燃焼室の上端開口部周縁との間にリング状に露出させた燃焼室開口端とドラム缶状容器の周囲側壁とに亙って所定空間をあけて被せられたスカート状筒体であって、その上端周縁がドラム缶状容器の上部側壁に小隙間を残して宛てがわれたスカート状筒体とが備えられてなることを特徴としている。
【０００７】
このような構成の炭焼き窯においては、ドラム缶状容器の上端開口部を覆う蓋をドラム缶状容器上端から取り外して、ドラム缶状容器内に、その上端開口部から、炭作り材料の、桑の茎等の木材、竹材、落ち葉などの植物を詰めることができる。
次いで、その炭作り材料を詰めたドラム缶状容器の上端開口部を蓋で覆って、そのドラム缶状容器内に外気が侵入するのを防いだ状態とすることができる。そして、焚き口から燃焼室内に燃料の材木等を投入して、その材木等を燃焼室内で燃やすことができる。そして、その燃焼室内で燃焼する木材等の燃料から発生する炎を、燃焼室の上端開口部に架け渡された複数本の支持棒上に亙って搭載されたドラム缶状容器の下端周縁と燃焼室の上端開口部周縁との間にリング状に露出させた燃焼室開口端を通して、その燃焼室開口端とドラム缶状容器の周囲側壁とに亙って被せられたスカート状筒体内側空間へと侵入させ続けることができる。そして、その高温の炎により、燃焼室内に露出するドラム缶状容器の下端底壁からスカート状筒体が被せられたドラム缶状容器の周囲側壁に掛けての部分を、加熱し続けることができる。そして、ドラム缶状容器内に詰められた木材、竹材、落ち葉などの植物を、外気に接触させぬようにして、蒸し焼き状態にして、それらの植物を炭化処理できる。そして、それらの植物から炭を、高度の専門知識を必要とせずに、誰でもが常に失敗なく手軽に作ることができる。
その際には、燃焼室内で燃焼する木材等の燃料から発生する煙を、上記燃焼室開口端と、それに連なるスカート状筒体とドラム缶状容器の周囲側壁との間の空間部分へと侵入させることができる。そして、その煙を、スカート状筒体の上端周縁とその筒体の上端周縁が宛てがわれたドラム缶状容器の上部側壁との間に存在する小隙間を通して、スカート状筒体外方の大気中に放出し続けることができる。そして、そのスカート状筒体とドラム缶状容器の周囲側壁との間の空間部分を煙突に用いて、木材等の燃料を燃焼室内で効率よく的確に燃料させ続けることができる。
また、その際には、燃焼室内で燃焼する燃料から発生する炎が、燃焼室開口端を通して、ドラム缶状容器外側の外気中に漏れ出すのを、ドラム缶状容器の周囲側壁に被せられたスカート状筒体により防ぐことができる。そして、その炎が、炭焼き作業者に襲い掛かかって、炭焼き作業者が火傷を負うのを、防ぐことができる。
【０００８】
このようにして、ドラム缶状容器内に詰められた材料を炭化処理して、炭を作り終えた後には、燃焼室の焚き口を鉄板等により塞いで、燃焼室内に外気が侵入するのを防ぐことができる。そして、燃焼室内で木材等の燃料が燃料し続けるのを停止できる。そして、ドラム缶状容器やそれに詰められて作られた炭などを、外気により常温状態近くまで冷却することができる。次いで、ドラム缶状容器の上端開口部を覆う蓋を取り除いて、そのドラム缶状容器内から木材、竹材、落ち葉等の植物から作られた炭を取り出すことができる。
【０００９】
本発明の炭焼き窯においては、石油等が抜き取られた廃棄ドラム缶を有効利用して、木材、竹材、落ち葉等の植物を詰めて炭化処理するドラム缶状容器を形成できる。また、身近に存在する小石、耐火レンガブロック等を用いて、焚き口を持つ燃焼室を形成できる。また、農業用の金属パイプ支柱等を用いて、燃焼室の上端開口部に架け渡す複数本の支持棒を形成できる。また、身近に存在する廃棄物のトタン板や鉄板を有効利用して、ドラム缶状容器の上端開口部を覆う蓋や、ドラム缶状容器の周囲側壁に被せるスカート状筒体を形成できる。
また、本発明の炭焼き窯を構成する、焚き口を持つ燃焼室、ドラム缶状容器、燃焼室、支持棒、蓋、スカート状筒体は、いずれも製造容易な、簡単な構造をしている。
そのために、本発明の炭焼き窯は、身近に存在する廃棄物などを有効利用して、費用を掛けずに、誰でもが、手軽に容易に組み立てて、使用できる。
【００１０】
本発明の炭焼き窯においては、前記スカート状筒体を、複数枚の弧状をした樋枠を分解可能に組み合わせて形成すると良い。
そうした場合には、そのスカート状筒体形成用の簡単な構造をした複数枚の弧状をした樋枠を、誰でもが容易に製造できる。そして、その複数枚の弧状をした樋枠をドラム缶状容器周辺においてスカート筒状に組み合わせることにより、燃焼室開口端とドラム缶状容器の周囲側壁とに亙ってスカート状筒体を、誰でもが手数を掛けずに容易に被せることができる。
また、スカート状筒体を複数枚の弧状をした樋枠に分解することにより、そのスカート状筒体をドラム缶状容器の周囲側壁から手数を掛けずに容易に取り外すことができる。そして、ドラム缶状容器をスカート状筒体外部に取り出すことができる。
【００１１】
本発明の炭焼き窯においては、前記支持棒を、金属製の棒状パイプ内側に耐火材を充填して形成すると良い。
そうした場合には、燃焼室の上端開口部に架け渡す支持棒を構成する金属製の棒状パイプが、燃焼室内から発生する炎で高温に加熱されて軟化し、ドラム缶状容器の荷重を受けて下方に撓む等するのを、その棒状パイプ内側に充填された耐火材により防ぐことができる。
【発明の効果】
【００１２】
本発明の炭焼き窯によれば、身近に手に入る廃棄物を有効利用して、費用を掛けずに、誰でもが手軽に組み立てて使用できる炭焼き窯を提供可能となる。また、高度の専門知識がなくとも、誰でもが常に失敗なく炭焼き作業を行うことのできる炭焼き窯を提供可能となる。
【発明を実施するための最良の形態】
【００１３】
次に、本発明の実施の形態を図面に従い説明する。
図１ないし図４は本発明の炭焼き窯の好適な実施の形態を示し、図１はその正面断面図、図２はその蓋を取り外した状態の平面図、図３はその燃焼室周辺の平面図、図４はその燃焼室周辺の側面断面図である。以下に、この炭焼き窯を説明する。
【００１４】
この炭焼き窯は、焚き口１２を持つ有底筒状の燃焼室１０を備えている。燃焼室１０は、平坦な地面１４上に、耐火レンガブロック、小石等が筒状に積み上げられて形成されていて、その前方の下部には、方形状の焚き口１２が開口している。
燃焼室１０の上端開口部には、複数本（図では、２本としている）の支持棒２０が架け渡されている。具体的には、燃焼室１０の上端開口部の前部と後部とに亙って、支持棒２０がそれぞれ横に架け渡されている。
複数本の支持棒２０上に亙っては、有底筒状をしたドラム缶状容器３０が搭載されている。ドラム缶状容器３０の上端開口部は、平板状をした蓋４０により覆われている。
ドラム缶状容器３０の外径は、燃焼室１０の上端開口部の内径よりも小径に形成されていて、複数本の支持棒２０上に亙って搭載されたドラム缶状容器３０の下端周縁と燃焼室１０の上端開口部周縁との間には、燃焼室開口端１８をリング状に露出させている。
ドラム缶状容器３０の下端周縁と燃焼室１０の上端開口部周縁との間にリング状に露出させた燃焼室開口端１８とドラム缶状容器３０の周囲側壁とに亙っては、スカート状筒体５０が所定空間をあけて被せられている。スカート状筒体５０の上端周縁は、ドラム缶状容器３０の上部側壁に小隙間５２を残して宛てがわれている。スカート状筒体５０の下端周縁は、複数の耐火レンガブロックや小石等が筒状に積み上げられて形成された燃焼室１０の側壁の外側を覆う盛り土６０上面に、練り土６２により取り外し可能に固定されている。
【００１５】
図１ないし図４に示した炭焼き窯は、以上のように構成されていて、この炭焼き窯を用いて、炭焼き作業を行う際には、ドラム缶状容器３０の上端開口部から蓋４０を取り除いて、ドラム缶状容器３０内に、その上端開口部から、炭作り材料の、桑の茎等の木材、竹材、落ち葉などの植物１００を詰める。
次いで、その炭作り材料を詰めたドラム缶状容器３０の上端開口部を蓋４０で覆って、そのドラム缶状容器３０内に外気が侵入するのを防いだ状態とする。そして、焚き口１２から燃焼室１０内に材木等の燃料１１０を投入して、その燃料１１０を燃焼室１０内で燃やす。そして、その燃焼室１０内で燃焼する木材等の燃料１１０から発生する炎を、燃焼室１０の上端開口部に架け渡された複数本の支持棒２０上に亙って搭載されたドラム缶状容器３０の下端周縁と燃焼室１０の上端開口部周縁との間にリング状に露出させた燃焼室開口端１８を通して、その燃焼室開口端１８とドラム缶状容器３０の周囲側壁とに亙って被せられたスカート状筒体５０内側空間へと侵入させ続ける。そして、その高温の炎により、燃焼室１０内に露出するドラム缶状容器３０の下端底壁からスカート状筒体５０が被せられたドラム缶状容器３０の周囲側壁に掛けての部分を、加熱し続ける。
すると、ドラム缶状容器３０内に詰められた木材、竹材、落ち葉などの植物１００を、外気に接触させぬようにして、蒸し焼き状態にして、それらの植物１００を炭化処理できる。そして、それらの植物１００から炭を作ることができる。
その際には、燃焼室１０内で燃焼する木材等の燃料１１０から発生する煙を、燃焼室開口端１８と、それに連なるスカート状筒体５０とドラム缶状容器３０の周囲側壁との間の空間部分へと侵入させることができる。そして、その煙を、スカート状筒体５０の上端周縁とドラム缶状容器３０の上部側壁との間に存在する小隙間５２を通して、スカート状筒体５０外方の大気中に放出し続けることができる。そして、そのスカート状筒体５０とドラム缶状容器３０の周囲側壁との間の空間部分を煙突に用いて、木材等の燃料１１０を燃焼室１０内で効率よく的確に燃料させ続けることができる。
また、その際には、燃焼室１０内で燃焼する燃料１１０から発生する炎が、燃焼室開口端１８を通して、ドラム缶状容器３０外側の外気中に漏れ出すのを、ドラム缶状容器３０の周囲側壁を被うスカート状筒体５０により防ぐことができる。そして、その炎で、炭焼き作業者が火傷を負うのを、防ぐことができる。
なお、上記のようにして、ドラム缶状容器３０内に詰められた木材、竹材、落ち葉などの植物１００を蒸し焼き状態にする際には、ドラム缶状容器３０内に水蒸気が多量に発生して、ドラム缶状容器３０内の気圧が高まり、その気圧を受けて、ドラム缶状容器３０の上端開口部を覆う蓋４０がドラム缶状容器３０上端から外れ落ちる恐れがある。そのため、ドラム缶状容器３０の上端開口部を覆う蓋４０上面には、コンクリートブロック等の重し（図示せず）を搭載しておくと良い。
【００１６】
このようにして、ドラム缶状容器３０内に詰められた植物１００を炭化処理して、炭を作り終えた後には、燃焼室の焚き口１２を鉄板（図示せず）等により塞いで、燃焼室１０内に外気が侵入するのを防ぐ。そして、燃焼室１０内で木材等の燃料１１０が燃料し続けるのを停止させる。
すると、ドラム缶状容器３０やそれに詰められて作られた炭などを、１〜２日程度かけて外気により常温状態近くまで冷却できる。そして、ドラム缶状容器３０の上端開口部を覆う蓋４０を取り除いて、そのドラム缶状容器３０内から木材、竹材、落ち葉等の植物１００から作られた炭を取り出すことができる。
【００１７】
この炭焼き窯において、スカート状筒体５０は、図５に示したように、複数枚（図では、４枚としている）の弧状をした樋枠５４を分解可能にスカート筒状に組み合わせて形成すると良い。
そして、そのスカート状筒体５０形成用の複数枚の弧状をした樋枠５４を誰でもが容易に製造できるようにすると良い。それと共に、その複数枚の弧状をした樋枠５４を、ドラム缶状容器３０周辺においてスカート筒状に組み合わせることにより、燃焼室開口端１８とドラム缶状容器３０の周囲側壁とに亙って、スカート状筒体５０を誰でもが手数を掛けずに容易に被せることができるようにすると良い。
また、スカート状筒体５０を複数枚の弧状をした樋枠５４に分解することにより、そのスカート状筒体５０をドラム缶状容器３０の周囲側壁から手数を掛けずに容易に取り外して、ドラム缶状容器３０をスカート状筒体５０外部に取り出せるようにすると良い。
【００１８】
この炭焼き窯において、支持棒２０は、図４に示したように、金属製の棒状パイプ２２内側に土、モルタル、砂などの耐火材２４を充填して形成すると良い。そして、燃焼室１０の上端開口部に架け渡す支持棒２０を構成する金属製の棒状パイプ２２が、燃焼室１０内から発生する炎で高温に加熱されて軟化し、ドラム缶状容器３０の荷重を受けて下方に撓む等するのを、その棒状パイプ２２内側に充填された耐火材２４により防ぐと良い。
【産業上の利用可能性】
【００１９】
本発明の炭焼き窯は、廃棄物として無駄に捨てられたり、邪魔物として放置されたりする、間伐材や桑の茎等の木材、竹材、落ち葉などの植物を、炭化処理して、炭を作るのに、広く有効利用可能である。
また、竹材などをその形状を崩さずに自然状態のまま炭化処理して、室内に置いて、生け花材料などに用いる鑑賞材の作成にも、有効利用可能である。
【図面の簡単な説明】
【００２０】
【図１】本発明の炭焼き窯の正面断面図である。
【図２】本発明の炭焼き窯の蓋を取り外した状態の平面図である。
【図３】本発明の炭焼き窯の燃焼室周辺の平面図である。
【図４】本発明の炭焼き窯の燃焼室周辺の側面断面図である。
【図５】本発明の炭焼き窯のスカート状筒体の平面図である。
【符号の説明】
【００２１】
１０  燃焼室
１２  焚き口
１４  地面
１８  燃焼室開口端
２０  支持棒
３０  ドラム缶状容器
４０  蓋
５０  スカート状筒体
５２  小隙間
５４  樋枠
６０  盛り土
６２  練り土
１００  植物
１１０  燃料
【図１】
2005320460.tif 000003
【図２】
2005320460.tif 000004
【図３】
2005320460.tif 000005
【図４】
2005320460.tif 000006
【図５】
2005320460.tif 000007